(57)【要約】【課題】折り畳まれた筐体間の接触を緩衝する緩衝部材を備える折り畳み式電子機器において、その緩衝部材の衝撃吸収性能を高めて、緩衝部材の直下位置への内部部品の配置を可能とする。【解決手段】第１の筐体（１）と第２の筐体（２）とがヒンジ部（５）を介して折り畳み自在に結合される電子機器であって、少なくとも第１の筐体あるいは第２の筐体の何れかに、折り畳まれた他方の筐体との接触を緩衝する緩衝部材１３を設ける。この緩衝部材１３の内部には、中空部１３Ａが形成されている。また、緩衝部材１３を設けた筐体内には、緩衝部材１３の直下位置にマイク１４が配置されている。緩衝部材１３は、ヒンジ部と反対側の筐体端部に配置されている。【選択図】図３
2009111598.tif 000002
【特許請求の範囲】
【請求項１】
第１の筐体と第２の筐体とがヒンジ部を介して折り畳み自在に結合される電子機器であって、
少なくとも前記第１の筐体あるいは第２の筐体の何れかに、折り畳まれた他方の筐体との接触を緩衝する緩衝部材を設けるとともに、
この緩衝部材の内部に中空部を形成したことを特徴とする折り畳み式電子機器。
【請求項２】
前記緩衝部材を設けた筐体内には、前記緩衝部材の直下位置に部品が配置されていることを特徴とする請求項１に記載の折り畳み式電子機器。
【請求項３】
前記緩衝部材は、前記ヒンジ部と反対側の筐体端部に配置されていることを特徴とする請求項１または２に記載の折り畳み式電子機器。
【請求項４】
前記他方の筐体には、前記緩衝部材の少なくとも一部を受け入れる凹部が形成されていることを特徴とする請求項１から３のいずれか一項に記載の折り畳み式電子機器。
【請求項５】
前記凹部は、前記他方の筐体の幅方向のほぼ中央位置に形成されていることを特徴とする請求項４に記載の折り畳み式電子機器。
【請求項６】
前記緩衝部材の直下位置に配置されている部品はマイクであり、
前記凹部の直下位置にレシーバが配置されていることを特徴とする請求項４または５に記載の折り畳み式電子機器。
【発明の詳細な説明】
【技術分野】
【０００１】
本発明は、折り畳まれた筐体間の接触を緩衝する緩衝部材を備える折り畳み式電子機器に関する。
【背景技術】
【０００２】
折り畳み式携帯電話においては、折り畳まれた筐体間の接触を緩衝する緩衝部材が複数個所に備えられる（例えば特許文献１、２、３参照）。すなわち、特許文献１には、操作部筐体の四隅部に、折り畳んだ表示部筐体と接触する中実の緩衝部材を設けたことが示されている。また、特許文献２には、表示部筐体のヒンジ部と反対側端部の左右に、折り畳んだ操作部筐体と接触する中実の弾性凸部を設けて、操作部筐体の左右両側部に沿って、折り畳んだ表示部筐体と接触する中実の緩衝部材を設けたことが示されている。そして、特許文献３には、大きい方の第１の部分筐体のほぼ中央に、折り畳んだ小さい方の第２の部分筐体と接触する中実の緩衝部材を設けたことが示されている。
【特許文献１】特開２００５−２２２３８５号公報
【特許文献２】特開２００５−２９５０７０号公報
【特許文献３】特開平６−２２４８１６号公報
【発明の開示】
【発明が解決しようとする課題】
【０００３】
緩衝部材は中実であることから、その弾性に限界があり、その直下に内部部品を配置すると、筐体の折り畳み動作時の衝撃を受けて内部部品が損傷してしまう。
例えば、基板上にマイクと共に設けられた接点バネが衝撃を受けて折れてしてしまう等の心配から、緩衝部材の直下位置を避けて内部部品を配置する必要があった。
この場合、中実の緩衝部材に小さな穴を設けて集音孔とすることが考えられるが、そのような孔程度では中実の緩衝部材であることに変わりはなく、その直下位置を避けて内部部品を配置する必要がある。
【０００４】
本発明の課題は、折り畳まれた筐体間の接触を緩衝する緩衝部材を備える折り畳み式電子機器において、その緩衝部材の衝撃吸収性能を高めることであり、これにより緩衝部材の直下位置への内部部品の配置を可能とすることである。
【課題を解決するための手段】
【０００５】
以上の課題を解決するため、請求項１に記載の発明は、第１の筐体と第２の筐体とがヒンジ部を介して折り畳み自在に結合される電子機器であって、少なくとも前記第１の筐体あるいは第２の筐体の何れかに、折り畳まれた他方の筐体との接触を緩衝する緩衝部材を設けるとともに、この緩衝部材の内部に中空部を形成したことを特徴とする。
【０００６】
請求項２に記載の発明は、請求項１に記載の折り畳み式電子機器であって、前記緩衝部材を設けた筐体内には、前記緩衝部材の直下位置に部品が配置されていることを特徴とする。
【０００７】
請求項３に記載の発明は、請求項１または２に記載の折り畳み式電子機器であって、前記緩衝部材は、前記ヒンジ部と反対側の筐体端部に配置されていることを特徴とする。
【０００８】
請求項４に記載の発明は、請求項１から３のいずれか一項に記載の折り畳み式電子機器であって、前記他方の筐体には、前記緩衝部材の少なくとも一部を受け入れる凹部が形成されていることを特徴とする。
【０００９】
請求項５に記載の発明は、請求項４に記載の折り畳み式電子機器であって、前記凹部は、前記他方の筐体の幅方向のほぼ中央位置に形成されていることを特徴とする。
【００１０】
請求項６に記載の発明は、請求項４または５に記載の折り畳み式電子機器であって、前記緩衝部材の直下位置に配置されている部品はマイクであり、前記凹部の直下位置にレシーバが配置されていることを特徴とする。
【発明の効果】
【００１１】
本発明によれば、緩衝部材の衝撃吸収性能を高めることができ、従って、緩衝部材の直下位置に内部部品を配置できる。
【発明を実施するための最良の形態】
【００１２】
以下、図を参照して本発明を実施するための最良の形態を詳細に説明する。
（実施形態）
図１は本発明を適用した折り畳み式電子機器の一実施形態の構成として携帯電話を示したもので、１は第１の筐体、２は第２の筐体、３は表示部、４は操作部、５はヒンジ部、６はヒンジボス、７はヒンジボス、８はヒンジ軸、１１は報音部、１２は集音部、１３は緩衝部材である。
【００１３】
第１の筐体は表示画面による表示部３を有する表示部筐体１であり、第２の筐体は各種操作キーによる操作部４を有する操作部筐体２であり、これら表示部筐体１及び操作部筐体２はヒンジ部５を介して折り畳み自在に結合されている。このヒンジ部５は、図示例では、表示部筐体１の一端部に設けたヒンジボス６を操作部筐体２の一端部に設けたヒンジボス７にヒンジ軸８を介して結合し装着することで、折り畳み状態から開放できるように構成されている。
【００１４】
また、表示部筐体１のヒンジ部５と反対側端部にはレシーバ部である報音部１１が設けられ、操作部筐体２のヒンジ部５と反対側端部にはマイク部である集音部１２が設けられている。報音部１１は、表示部筐体１に内蔵されたレシーバ（不図示）から報音するための孔で防水が施されたものであり、その周囲には凹部１１Ａが設けられている。
また、集音部１２は、操作部筐体２に内蔵されたマイク１４（図３から図５参照）で集音させるための孔である。
【００１５】
そして、図２にも示すように、集音部１２を端部で囲むように緩衝部材１３が設けられている。緩衝部材１３はゴム等の弾性体製で、図３から図５に拡大して示すように、操作部筐体２に対し膨出形状のものであって、その内部には、膨出形状と相似形の中空部１３Ａが形成されている。また、緩衝部材１３の外側には、その最膨出部から集音部１２につながる案内溝１３Ｂが形成されている。
以上の緩衝部材１３は、その下面に形成した全周溝１３Ｃで不図示の接着剤により操作部筐体２に接着固定されている。
そして、図３、４にも示すように、表示部筐体１と操作部筐体２とが折り畳まれた場合に、緩衝部材１３の最膨出部は報音部１１の凹部１１Ａに係合し、表示部筐体１あるいは操作部筐体２に力が加わったとしても表示部筐体１と操作部筐体２との位置がずれることを防止している。
【００１６】
さらに、操作部筐体２には、緩衝部材１３の直下位置にマイク１４が配置されている。このマイク１４は、基板１５と電気的接続を図るための接点バネと共に搭載されて、キーパッド１６と、基板１５上の搭載部品１７・１８等により囲まれた空間において、上面に防水型の振動膜２１を囲む一体のクッション材２２を載せてマイクホルダ２３に収納されている。また、マイクホルダ２３は、上面が両面接着テープ２４で操作部筐体２の内面に接着固定されている。なお、両面接着テープ２４には防水型の振動膜２５が一体に設けられている。
【００１７】
以上において、携帯電話の使用者の音声は、集音部１２、防水型の振動膜２５、マイクホルダ２３の開口、防水型の振動膜２１を経てマイク１４に伝達される。
【００１８】
以上、実施形態の緩衝部材１３によれば、表示部筐体１及び操作部筐体２をヒンジ部５で折り畳む際に、ヒンジ部５と反対側端部において、表示部筐体１の集音部１２を端部で囲む膨出形状の緩衝部材１３に相手側の表示部筐体１の報音部１１付近が当たるが、緩衝部材１３はその膨出形状と相似形の中空部１３Ａを有しているので、表示部筐体１との衝撃を、中空部１３Ａを囲む緩衝部材１３の弾性変形により効果的に吸収できる。
特に、マイク１４と共に設けられた接点バネに対する衝撃も吸収されることで、その接点バネが折れるなどの恐れが軽減できる。
従って、従来よりも緩衝部材１３の衝撃吸収性能を高めて、緩衝部材１３の直下位置にマイク１４を配置できるものとなる。
【００１９】
しかも、操作部筐体２のヒンジ部５と反対側端部に緩衝部材１３を１個設けるだけで足りるため、部品点数削減並びに組付け工数減少に寄与できる。
また、緩衝部材１３の弾性変形により表示部筐体１と操作部筐体２とに対する衝撃を吸収しているため、緩衝部材１３の最膨出部が集音部１２の凹部に当接する際に発生する音が軽減されるものである。
【００２０】
（変形例）
なお、以上の実施形態においては、携帯電話としたが、本発明はこれに限定されるものではなく、カメラ、ＰＤＡ、ノートパソコン、ウェアラブルパソコン、電卓、電子辞書などの携帯電子機器を含む折り畳み式電子機器すべてに用いることができる。
また、実施形態では、折り畳み式としたが、縦方向に開いた状態から表示部筐体を回転できる２軸ヒンジタイプのものや、筐体の同一角部近傍に交差配置した２本のヒンジ軸を備え、操作部筐体に対し表示部筐体を縦方向あるいは横方向の何れの方向にも開放できるようにした２軸ヒンジタイプのものも含まれる。
さらに、実施形態では、緩衝部材を操作部筐体に設けたが、表示部筐体に設けても良く、あるいは両筐体に設けても良い。
【００２１】
そして、実施形態では、緩衝部材の直下位置にマイクを設けたが、マイクと集音部は離れた位置に設けられていても良く、また、レシーバと報音部も離れた位置に設けられていても良い。また、報音部も、単なる孔だけではなく、集音部と同様、孔に防水型の振動膜を設けたものであってもよい。
さらに、緩衝部材の配置箇所や形状、中空部の形状、緩衝部材直下の配置部品等も任意であり、その他、具体的な細部構造等についても適宜に変更可能であることは勿論である。
【図面の簡単な説明】
【００２２】
【図１】本発明を適用した折り畳み式電子機器の一実施形態の構成を示すもので、携帯電話を縦方向に開いた状態を示した斜視図である。
【図２】図１の緩衝部材を設けた筐体端部の平面図である。
【図３】図２の矢印Ｘ−Ｘ線に沿った拡大断面図である。
【図４】図２の矢印Ｙ−Ｙ線に沿った拡大断面図である。
【図５】図３の構成部材の分解斜視図である。
【符号の説明】
【００２３】
１  第１の筐体
２  第２の筐体
３  表示部
４  操作部
５  ヒンジ部
１１  報音部
１１Ａ  凹部
１２  集音部
１３  緩衝部材
１３Ａ  中空部
１４  マイク（部品）
１５  基板
２１  防水型の振動膜
２３  マイクホルダ
２５  防水型の振動膜
【図１】
2009111598.tif 000003
【図２】
2009111598.tif 000004
【図３】
2009111598.tif 000005
【図４】
2009111598.tif 000006
【図５】
2009111598.tif 000007